(57)【要約】      （修正有）【課題】地表面に近い位置にあるステップの裏側を利用して敷板の格納場所を設けることにより敷板の出し入れ作業が楽になる作業用車両を提供することにある。【解決手段】クレーン用ブームと運転室を備えた上部旋回体を下部走行体４に搭載し、上記下部走行体４上に昇り降りするときに使用するステップ４０と上記下部走行体４の間に位置する空間に敷板収納部５０を設置したホイールクレーンである。【選択図】      図５
2008019007.tif 000002
【特許請求の範囲】
【請求項１】
アウトリガ装置を備えるとともに上記アウトリガ装置のフロートを受け止める敷板を車体に格納するようにしたホイールクレーンにおいて、
クレーン用ブームと運転室を備えた上部旋回体と、
上記上部旋回体を搭載した下部走行体と、
上記下部走行体に取り付けられ、上記下部走行体の上に昇り降りするときに使用するステップと、
上記ステップと上記下部走行体との間に位置する空間に設置された敷板収納部と、
を具備したことを特徴とするホイールクレーン。
【請求項２】
上記ステップは、上記敷板収納部に出し入れする敷板を通せる隙間を有することを特徴とする請求項１に記載のホイールクレーン。
【請求項３】
上記ステップは、上記敷板収納部の出入口の前面から退避する位置に変位可能に上記下部走行体に取り付けられていることを特徴とする請求項１に記載のホイールクレーン。
【請求項４】
上記敷板収納部は、上記ステップ及び上記下部走行体に固定されていることを特徴とする請求項１に記載のホイールクレーン。
【請求項５】
上記敷板収納部は、上記敷板を水平な向きで出し入れする構造であることを特徴とする請求項１、請求項２、請求項３または請求項４に記載のホイールクレーン。
【発明の詳細な説明】
【技術分野】
【０００１】
本発明は、アウトリガ装置を備えたホイールクレーンに係り、特にアウトリガ装置のフロートを受け止める敷板を車体に格納するようにしたホイールクレーンに関する。
【背景技術】
【０００２】
一般に、ホイールクレーン等の作業用車両は、作業時の車体の転倒を防止するアウトリガ装置を備える。このアウトリガ装置は車体フレームに接続されたアウトリガ収納ボックスと、このアウトリガ収納ボックスに収納されて水平方向に伸縮する伸縮ビームと、この伸縮ビームの先端に設けられその伸縮ビームの垂直下方に伸長動作する垂直支持脚（以下、ジャッキと呼ぶ。）と、このジャッキの下端に取り付けられた接地板としてのフロートとを備える。そして、車体の側方に向かって伸縮ビームを張り出すとともにジャッキを下方に伸長させてアウトリガ装置のフロートを地面に接地させることにより車体を支持する。
【特許文献１】特開２００５−２９８１７０
【発明の開示】
【発明が解決しようとする課題】
【０００３】
しかし、アウトリガ装置のフロートを受け止める地盤が軟弱であったり、平らでない表面であったりすると、アウトリガ装置を設置できず、アウトリガ装置の支持力を十分に発揮できない。また、アウトリガ装置を設置しようとする地表面を傷付けたくない場合もある。
【０００４】
このような場合、アウトリガ装置のフロートの下に敷板を敷き、その敷板でフロートを受け止める。
【０００５】
特許文献１のように、車体に敷板を格納するようにしたホイールクレーンにあっては、下部走行体の前方上面領域であって、格納状態に縮小したブームの下側の空間を利用し、ジブの横に位置して収納するようにしている。
【０００６】
ところで、ホイールクレーンによっても差異はあるが、一般に、下部走行体の上面の位置は、作業者の胸の高さ程度に高い。また、敷板自体もかなりの重量があるために、その敷板の取出作業や使用後の格納作業は作業者にとって大きな負担になっていた。
【０００７】
また、敷板の格納作業は、アウトリガを格納する作業の後に行う最後の作業であり、一旦、車両から離れてしまうために敷板を車両に格納し忘れることがある。また、作業者が運転室あるいは下部走行体の上に登って始めて敷板を格納し忘れに気付く場合も多い。下部走行体の上に登ってから格納忘れに気付いた場合、高い下部走行体や運転室から降りて地面まで戻り、敷板を格納する作業を行わなければならず、面倒で作業時間を無駄にしてしまうことがあった。
【０００８】
さらに、特許文献１に示すように、敷板を格納する場所が下部走行体の上面であって格納したブームの下側部位に位置していると、ブームの下側に敷板の格納スペースを確保しなければならない。また、その場所はホイールクレーンの目立つ場所にある。したがって、運転者の視野を広く確保する等、ホイールクレーンの走行機能や外観上の設計に制限を受けていた。
【０００９】
本発明は上記課題に着目してなされたものであり、その目的とするところは、地表面に近い位置にあるステップの裏側を利用して敷板の格納場所を設けることにより敷板の出し入れ作業が楽になり、また、作業者がステップを登る際に敷板の格納状態が自然に確認できることが可能になり、敷板の格納を忘れたまま、運転室に乗り込むこと等がないホイールクレーンを提供することにある。
【課題を解決するための手段】
【００１０】
請求項１に係る発明は、アウトリガ装置を備えるとともに上記アウトリガ装置のフロートを受け止める敷板を車体に格納するようにしたホイールクレーンにおいて、クレーン用ブームと運転室を備えた上部旋回体と、上記上部旋回体を搭載した下部走行体と、上記下部走行体に取り付けられ、上記下部走行体上に昇り降りするときに使用するステップと、上記ステップと上記下部走行体の間に位置する空間に設置された敷板収納部とを具備したことを特徴とするホイールクレーンである。
【００１１】
請求項２に係る発明は、上記ステップは、上記敷板収納部に出し入れする敷板を通せる隙間を有することを特徴とする請求項１に記載のホイールクレーンである。
【００１２】
請求項３に係る発明は、上記ステップは、上記敷板収納部の出し入れ口の前面から退避する位置に変位可能に上記下部走行体に取り付けられていることを特徴とする請求項１に記載のホイールクレーンである。
【００１３】
請求項４に係る発明は、上記敷板収納部は、上記ステップ及び上記下部走行体に固定されていることを特徴とする請求項１に記載のホイールクレーンである。
【００１４】
請求項５に係る発明は、上記敷板収納部は、上記敷板を水平な向きで出し入れする構造であることを特徴とする請求項１、請求項２、請求項３または請求項４に記載のホイールクレーンである。
【発明の効果】
【００１５】
請求項１に係る発明は、ステップの裏側空間を利用して敷板収納部を設けたものであり、敷板収納部は下部走行体よりも比較的に低い地表面に近い位置に位置するので、その敷板収納部に対する敷板の出し入れ作業が楽になり、作業者の負担を軽減する。ステップを利用して下部走行体の上に登る際に敷板が敷板収納部に収納されているか否かの確認が容易になされることが自然に可能となり、下部走行体の上に登る際に気が付くことができるので、敷板の収納を忘れたまま上部旋回体に乗り込んでしまうことが少なくなり、敷板の収納忘れを早めに気付くことができる。また、下部走行体に装備されるステップの裏側に敷板収納部を設けたので、下部走行体の上部に配置する場合に比べ、敷板収納部が邪魔にならず、運転者の視野を広く確保する等、ホイールクレーンの走行機能や外観上の設計で制限を軽減する。また、格納した敷板が外から目立たず、ホイールクレーンの美観を損ねない外観設計が可能である。
【００１６】
請求項２に係る発明は、ステップにおける隙間に対応させて敷板収納スペースの出入り口を配置したので、敷板を出し入れする際にステップを取り外す必要がなく、また、ステップを必ずしも動かしたりする必要がなく、敷板を出し入れ可能であるので、敷板の出し入れの作業性が向上する。
【００１７】
請求項３に係る発明は、上記敷板収納部の出し入れ口の前面からステップを退避させることができるので、敷板の出し入れの作業性が向上する。
【００１８】
請求項４に係る発明は、ステップ及び下部走行体に敷板収納部を固定したので、ステップに乗る運転者等の作業者の体重による荷重が敷板収納部を介して下部走行体に伝わり、そのステップの支持強度を高めることができる。また、ステップ、下部走行体及び敷板収納部の一体化が図れ、それらの全体の強度を高める。さらに、作業者が昇り降りする際の荷重がステップに加わっても、ステップが不安定に揺れない。
【００１９】
請求項５に係る発明は、上記敷板収納部を、上記敷板を水平な向きで出し入れ可能な構造としたので、敷板の出し入れの作業が楽である。
【発明を実施するための最良の形態】
【００２０】
図１〜図５を参照して、本発明の作業用車両の一実施形態に係るホイールクレーンについて説明する。図１に示すように、本実施形態に係るホイールクレーン１は前輪２および後輪３を備えた走行車体（キャリア）としての下部走行体４を備えており、下部走行体４上には旋回ベアリング５を介して旋回台６が鉛直軸回りに旋回自在に搭載されている。旋回台６上にはクレーン作業と車両走行の両方の運転操作を兼用する運転室７と伸縮ブーム８が搭載されている。旋回台６は運転室７と伸縮ブーム８及びそれに関連する装備等と一緒に上部旋回体９を構成している。伸縮ブーム８は複数のブーム８ａ…をテレスコープ状に連結してなり、図示しない伸縮駆動シリンダによって伸縮される。伸縮ブーム８の基端ブーム８ａは、旋回台６上に立設したブーム支持フレーム１１に起伏可能に取り付けられている。そして、基端ブーム８ａはその下面と旋回台６の間に架設された起伏シリンダ１２により起伏操作される。下部走行体４の後部上にはエンジンルーム１３等の機械室が搭載されている。
【００２１】
図１に示すように、下部走行体４の前端部には前端部右側アウトリガ装置１５ａと前端部左側アウトリガ装置１５ｂが設けられており、下部走行体４の後端部には後端部右側アウトリガ装置１６ａと後端部左側アウトリガ装置１６ｂが設けられている。アウトリガ装置１５ａ，１５ｂ，１６ａ，１６ｂはいずれも下部走行体４の車体フレーム３５に固定されたアウトリガ収納ボックス２１と、アウトリガ収納ボックス２１に収納されて水平方向に伸縮する伸縮ビーム２２と、伸縮ビーム２２の先端に設けられその伸縮ビーム２２の垂直下方に伸長動作する垂直支持脚（以下、ジャッキと呼ぶ。）２３と、このジャッキ２３の下端に取り付けられた接地板としてのフロート２４とを備える。そして、アウトリガ装置１５ａ，１５ｂ，１６ａ，１６ｂは図１に示すように、その伸縮ビーム２２を車体の側方に向かって張り出すとともに、ジャッキ２３を下方に伸長させることにより、地面２５にフロート２４を接地させる。このとき、後述する敷板３０は予め地面２５に敷いて置き、その敷板３０の上にフロート２４を載せるようにしてホイールクレーン１の車体を支持する。
【００２２】
上記敷板３０は例えば金属製の板状のものであり、その上面と下面は平らな表面となっている。また、前端面と背後面にはそれぞれ取手３１が取り付けられている。
【００２３】
図２に示すように、下部走行体４の側面部にはその下部走行体４の上に登り降りする際に使用するステップ４０が取り付けられている。ここでのステップ４０は下部走行体４の後部における左側面部と右側面部にそれぞれ位置する左右２つのものがある。右側のステップ４０は上記後端部右側アウトリガ装置１６ａの直前に位置して設置され、左側のステップは図示しないが、上記後端部左側アウトリガ装置１６ｂの直前に位置して設置されている。右側のステップ４０は左側のステップと左右対称な関係で同様に構成されているので、その説明の都合上、右側のステップ４０を代表させて説明する。
【００２４】
図５に示すように、上記ステップ４０は、パイプ状または棒状のフレームを用いた縦桟４２と横桟４３とで構成した略垂直な梯子４４である。作業者は梯子４４の縦桟４２と横桟４３に手を掛けるとともに横桟４３に足を掛けることにより下部走行体４の上に登り降りできる。最も外側の縦桟４２と最も下側の横桟４３は一本の連続したパイプからＵ字状に形成されている。２段目と３段目の横桟４３はその縦桟４２の間に架設されている。３段目の横桟４３の中間部には中間縦桟４２の下端が接続され、この中間縦桟４２の中間部と左外側の縦桟４２の上端には４段目の横桟４３が接続されている。横桟４３の他端は下部走行体４の内側に向かって延び、その延長側先端は車体フレーム３５に接続されている。中間縦桟４２の上端も下部走行体４の車体フレーム３５に接続されている。
【００２５】
右側のステップ４０の裏側には敷板収納部（収納ブラケット）５０が設けられている。敷板収納部５０が設けられる場所は右側のステップ４０の裏側に位置するとともに上記下部走行体４の下方部位にも位置している。また、上記ステップ４０と上記下部走行体４の下面との間に形成される空間部である。
【００２６】
左側のステップの裏側に位置する下部走行体４の下側空間部にも図示しないが、同様の敷板収納部（収納ブラケット）が、右側の敷板収納部５０と左右対称に同様に構成されている。ここでは、説明の都合上、右側のステップ４０を代表させて説明する。
【００２７】
上記敷板収納部５０は図５に示すように、ステップ４０の裏側と下部走行体４との間における空間を利用して構成される引出し形式のものである。具体的には左右（車体からみると前後）に位置して互いに向き合う上下複数段のレール５１ａ，５１ｂにより複数段の引出し形式となった敷板収納スペース５２ａ，５２ｂが形成されていて、上記レール５１ａ，５１ｂに対して水平な姿勢での敷板３０を水平な向きで出し入れできるようになっている。敷板収納スペース５２ａ，５２ｂの前方開口はステップ４０における横桟４３の間に位置する空間部（間隙）に臨み配置され、そのステップ４０の隙間から敷板収納スペース５２ａ，５２ｂ内に対して上記敷板３０を水平な状態として地表面に平行な向きで出し入れできる。敷板収納スペース５２ａ，５２ｂの前方開口はいずれも一番下の横桟４３と２段目の横桟４３との間に位置する隙間（間隙）に位置しており、敷板収納スペース５２ａ，５２ｂはステップ４０のできるだけ下側に位置する部位の裏側領域に位置する。また、図２〜４に示すように敷板収納スペース５２ａ，５２ｂはアウトリガ装置１５ａ，１５ｂ，１６ａ，１６ｂの格納位置におけるフロート２４の下面から始まる高さ領域に略一致する。敷板収納スペース５２ａ，５２ｂは後端部右側アウトリガ装置１６ａに隣接して横に並び位置している。
【００２８】
さらに、敷板収納スペース５２ａ，５２ｂの前方開口付近には敷板収納スペース５２ａ，５２ｂに設置した敷板３０が飛び出さないように敷板３０をロックする保持手段が設けられている。たとえば、上記レール５１ａ，５１ｂの部材における開口側前端部分に止め具（図示せず）を着脱自在に嵌め込む孔５３を設け、その孔５３に図示しない止め具を装着して敷板収納スペース５２ａ，５２ｂに収納した敷板３０の飛び出さないように係止するようになっている。また、敷板３０を敷板収納部５０から着脱する際はその止め具を孔５３から抜いて行う。
【００２９】
上記ステップ４０における左右のレール５１ａ，５１ｂの奥側端は架設枠５４によって連結される。左側のレール５１ａまたは架設枠５４は車体フレーム２０に固定されたアウトリガ収納ボックス２１に対して例えば溶接またはボルト締めにより取着されている。上記車体フレーム３５に対して直接に取着してもよい。左右のレール５１ａ，５１ｂの両前端はステップ４０の桟４２，４３に直接または介添部材５５を介して接続される。また、ステップ４０は敷板収納部５０の部材であるレール５１ａ，５１ｂなどを介して上記車体フレーム３５に対して支持される。
【００３０】
また、図５に示すように、敷板収納部５０の左右のレール５１ａ，５１ｂの間の領域及びその上下両面部と敷板収納部５０の背面部は切除した開口部５６が設けられている。開口部５６は敷板３０を出し入れする際の作業スペースを形成するとともに敷板３０の収納の有無を外から視認できる視認用窓を形成する。
【００３１】
以上の如く、下部走行体４の上に登るためのステップ４０の裏側空間を利用して敷板収納部５０を設置したので、下部走行体４の上に登るためのステップ４０は下部走行体よりも比較的に低い地表面に近い位置に設置されることになる。したがって、敷板収納部５０に対する敷板３０の出し入れ作業領域が比較的低い地表面に近い位置に位置するため、その敷板３０の出し入れを行う作業者の負担が非常に小さくなる。
【００３２】
また、例えば、上部旋回体９の運転室等に行き来するステップ４０の背面に敷板収納部５０を設けたので、クレーン作業を終了して、運転者（作業者）が下部走行体４の上に登る際に敷板３０が敷板収納部５０に収納されているか否かを視認可能となり、自然に気が付く可能性が高まり、作業者が敷板３０の収納を忘れたまま、上部旋回体９に乗り込んでしまうことが少なくなる。
【００３３】
また、下部走行体４に装備されるステップ４０の裏側に敷板収納部５０を設けたので、下部走行体４の上部に配置する場合に比べ、邪魔にならず、運転者の視野を広く確保する等、ホイールクレーン１の走行機能や外観上の設計で制限を軽減できる。格納した敷板３０が外から目立たず、ホイールクレーン１の美観を損ねない。
【００３４】
ステップ４０における隙間に敷板収納スペース５２ａ，５２ｂの前方開口が臨むので、敷板３０を出し入れする際、ステップ４０を取り除く必要がなく、またはステップ４０を動かしたりする必要もなく、敷板３０を出し入れ可能である。したがって、敷板３０の出し入れの作業性が向上する。
【００３５】
ステップ４０を敷板収納部５０の部材を介して下部走行体４の例えば車体フレーム３５に支持するようにしたので、ステップ４０に乗る運転者等の作業者の体重が敷板収納部５０の部材を介して下部走行体４に伝達し、そのステップ４０の支持強度を高めることができる。また、ステップ４０、下部走行体４及び敷板収納部５０の部材の一体化が図れ、それらの全体の強度を高める。作業者が昇り降りする際の荷重がステップ４０に加わってもステップ４０は振れ難い。
【００３６】
なお、本発明は、上述した実施形態に限定されない。上述した実施形態ではステップ４０を固定的に設けたが、敷板収納部５０に対して敷板３０を出し入れする際に敷板収納部５０の出し入れ口を開放するためにステップ４０を車体に対してスライド自在または回動自在に設置するようにしてもよい。また、ステップ４０の設ける位置が異なればその位置のステップ４０の裏側に敷板収納部５０を設置してもよい。ステップ４０の形式もパイプまたは棒状のものを使用する場合に限らず、例えば、ステップ面を階段状に配置した形式であってもよいし、視認用窓を一部に開けてもよい。
【図面の簡単な説明】
【００３７】
【図１】本発明の一実施形態に係るホイールクレーンの概略的な斜視図である。
【図２】本発明の一実施形態に係るホイールクレーンの側面図である。
【図３】本発明の一実施形態に係るホイールクレーンのステップ付近を拡大して示す側面図である。
【図４】本発明の一実施形態に係るホイールクレーンのステップと敷板収納部付近の横断面図である。
【図５】本発明の一実施形態に係るホイールクレーンのステップと敷板収納部付近示す斜視図である。
【符号の説明】
【００３８】
４…下部走行体
７…運転室
８…ブーム
９…上部旋回体
４０…ステップ
５０…敷板収納部
【図１】
2008019007.tif 000003
【図２】
2008019007.tif 000004
【図３】
2008019007.tif 000005
【図４】
2008019007.tif 000006
【図５】
2008019007.tif 000007